(57)【要約】【課題】施設内に設置され、不特定多数のユーザに使用されるデジタルテレビ放送受信装置で、不特定多数の利用者に記憶された個人情報の漏洩を確実に阻止する。【解決手段】データ放送に係るユーザのデータを入力するリモコンパッド２及びリモコン受光部２２と、入力されたデータを記憶するユーザメモリ２３と、所定のタイミングでユーザメモリ２３に記憶されたユーザの個人データを消去する制御部２０とを備える。【選択図】      図１
2006197121.tif 000002
【特許請求の範囲】
【請求項１】
施設内に設置され、不特定多数のユーザに使用されるデジタルテレビ放送受信装置であって、
データ放送に係るユーザのデータを入力する入力手段と、
この入力手段で入力されたデータを記憶する記憶手段と、
所定のタイミングで上記記憶手段に記憶されたデータを消去する消去手段と
を具備したことを特徴とするデジタルテレビ放送受信装置。
【請求項２】
上記所定のタイミングは、装置の電源投入時、装置の電源切断時、予め設定した時間、及び装置外部からの消去指示の信号入力時の少なくとも１つであることを特徴とする請求項１記載のデジタルテレビ放送受信装置。
【発明の詳細な説明】
【技術分野】
【０００１】
本発明は、ホテルや旅館等の宿泊施設、あるいは病院等の入院施設などで不特定の利用者が視聴制限のかけられたデジタルテレビ放送を視聴する業務用途のデジタルテレビ放送受信装置に関する。
【背景技術】
【０００２】
ＢＳデジタル放送、１１０°ＣＳデジタル放送及び地上波デジタル放送を受信するデジタル放送対応のテレビ受像機やチューナ装置では、ＣＡＳ（Ｃｏｎｄｉｔｉｏｎａｌ  ＡＳ）と呼称される、視聴制御システムの機能が予め内蔵されており、専用のＩＣカード（以下「ＣＡＳカード」と称する）を所定のカードスロットに挿入すると、スクランブルの解除の他に別途放送事業者と契約または登録を行なうことで、ペイ・パー・ビューを含んだ有料放送の視聴やデータ放送による双方向番組などに参加することが可能となる。上記ＣＡＳカードに関する技術が、以下の特許文献に詳述されている。（例えば、特許文献１）
【特許文献１】特開平０４−１３８７３５号公報
【発明の開示】
【発明が解決しようとする課題】
【０００３】
データ放送の双方向番組を利用するためには、これらの装置の上り側の通信機能である電話回線やＬＡＮ回線（を介してインターネット回線）への接続が必要であり、データ放送事業者単位に会員登録などを行なうことで、双方向番組の利用が可能となる。
【０００４】
デジタルテレビ放送対応のテレビ受像機やチューナ装置から所望のデータ放送の会員登録を行なった場合、入力した住所、氏名、年齢、電話番号等の個人情報が当該テレビ受像機やチューナ装置のデータ記憶領域に記憶されることも考えられ、その場合は該データ記憶領域に記憶された個人情報が、データ放送の双方向番組を選局した時点で確認のために画面に表示されることも考えられる。
【０００５】
通常、一般家庭などで上記装置が用いられる場合、装置に記憶されている個人情報が表示されたとしてもその内容は自己あるいは家族のものであり、なんら問題とはならない。
【０００６】
一方で、不特定多数の利用者が装置を利用するホテルや旅館等の宿泊施設、あるいは病院等の入院施設などの業務用途のデジタルテレビ放送受信装置では、データ放送の双方向番組を選局した時点で上記のように利用者の個人情報が無闇に表示されてしまうと、容易に個人情報が漏洩してしまうことになり、そのような事態は容認し得ない。
【０００７】
そのため、これまでは双方向番組の視聴が行なわれないよう、あえて電話回線等の接続を外して双方向機能が利用されないものとしていた。しかしながら、そのような処置を施した装置でも、上り方向の発信動作自体は行えないものの、利用者がデータ放送の双方向番組を選局し、会員登録などの画面が表示された状態で個人情報を入力すれば、入力した個人情報は装置のデータ記憶領域に不揮発的に記憶される。したがって、他の利用者が同様の選局操作を行なえば、記憶している個人情報が読出されて画面表示されてしまうことになり、結果として個人情報が漏洩してしまう可能性は存在する。
【０００８】
本発明は上記のような実情に鑑みてなされたもので、その目的とするところは、不特定多数の利用者によって記憶された個人情報が漏洩してしまうのを確実に阻止することが可能なデジタルテレビ放送受信装置を提供することにある。
【課題を解決するための手段】
【０００９】
請求項１記載の発明は、施設内に設置され、不特定多数のユーザに使用されるデジタルテレビ放送受信装置であって、データ放送に係るユーザのデータを入力する入力手段と、この入力手段で入力されたデータを記憶する記憶手段と、所定のタイミングで上記記憶手段に記憶されたデータを消去する消去手段とを具備したことを特徴とする。
【００１０】
請求項２記載の発明は、上記請求項１記載の発明において、上記所定のタイミングは、装置の電源投入時、装置の電源切断時、予め設定した時間、及び装置外部からの消去指示の信号入力時の少なくとも１つであることを特徴とする。
【発明の効果】
【００１１】
請求項１記載の発明によれば、データを消去する所定のタイミングを適切に設定することによって、不特定多数の利用者によって記憶された個人情報が漏洩してしまうのを確実に阻止することが可能となる。
【００１２】
請求項２記載の発明によれば、上記請求項１記載の発明の効果に加えて、装置の電源投入時または切断時にユーザのデータを消去するものとすれば、事実上データ放送の双方向通信等の利用を電源を投入してから切断するまでの１回に限定してデータを保持するものとできる他、時間に応じてユーザのデータを消去するものとすれば、電源状態等に拘わらず人手を要さずに毎日確実にデータを消去させることができ、また装置外部からの消去指示を受付けるようにすれば、例えばホテルのチェックアウト時にホテルフロントから客室に設置された装置のデータ消去を指示するなど、状況に柔軟に対応して適切なタイミングでユーザのデータを消去できる。
【発明を実施するための最良の形態】
【００１３】
以下本発明を例えばホテル施設館内に設置したデジタルテレビ放送受信装置に適用した場合の実施の一形態について図面を参照して説明する。  
（実施の一形態の構成）  
図１は、ホテル館内のデジタルテレビ放送システム（図示せず）を経由して放送信号を受取るデジタルテレビ放送受信装置の機能回路構成を示すものである。
【００１４】
同図で、ＢＳ・１１０°ＣＳデジタル放送と地上波デジタル放送をそれぞれ専用のアンテナで受信し、それらの出力と、館内の自主放送、及び全デジタルテレビ放送受信装置を管理するフロントコンピュータに接続されたデータ回線からの信号を混合器で同一周波数軸上に配列して混合した後に、このシステムの配信網を構成する同軸伝送ライン１１を通じて、ホテル館内の各客室内に配置されたデジタルテレビ放送受信装置１まで伝送する。
【００１５】
デジタルテレビ放送受信装置１は、リモコンパッド２での操作に対応した選局動作を実行するもので、同軸伝送ライン１１から送られてきた信号は分波器１２でＢＳ・１１０°ＣＳデジタル放送の中間周波信号、地上波デジタル放送の受信信号、及び館内の自主放送と、フロントコンピュータに接続されたデータ回線からの信号とに分波され、ＢＳ・ＣＳデジタル放送の中間周波信号、地上波デジタル放送の受信信号、及び自主放送がデジタルテレビ放送受信部１３へ、フロントコンピュータに接続されたデータ回線からの信号が高周波モデム１９へ送られる。
【００１６】
デジタルテレビ放送受信部１３は、その内部にＢＳ・１１０°ＣＳデジタルチューナと地上波デジタルチューナを備え、後述する制御部２０からの信号に基づいて上記リモコンパッド２での選局操作に対応したチャンネルを上記ＢＳ・１１０°ＣＳデジタルチューナまたは地上波デジタルチューナで選局し、該当するチャンネルのトランスポートストリーム（ＴＳ）を復調して出力する。
【００１７】
このデジタルテレビ放送受信部１３内では、復調したトランスポートストリームに対し、デマルチプレクサで多重化されているＭＰＥＧ（Ｍｏｖｉｎｇ  Ｐｉｃｔｕｒｅ  ｃｏｄｉｎｇ  Ｅｘｐｅｒｔ  Ｇｒｏｕｐ）２規格のビデオ・オーディオ情報と個別情報のＥＭＭ（Ｅｎｔｉｔｌｅｍｅｎｔ  Ｍａｎａｇｅｍｅｎｔ  Ｍｅｓｓａｇｅ）情報と番組情報、制御信号のＥＣＭ（Ｅｎｔｉｔｌｅｍｅｎｔ  Ｃｏｎｔｒｏｌ  Ｍｅｓｓａｇｅ）情報に分離する。
【００１８】
そして、後述するＣＡＳカードに記憶された情報に従い、デコード処理として上記ＥＣＭ情報のスクランブルを解除してビデオ・オーディオ信号のデスクランブル制御を行ない、時間的に連続した映像データとステレオ音声データとを生成し、生成した映像データをＤ出力端子１４より、ステレオ音声データを音声出力端子１５より、映像の複合信号をコンポジット出力端子１６よりそれぞれ出力する。
【００１９】
これらＤ出力端子１４、音声出力端子１５、及びコンポジット出力端子１６は、このデジタルテレビ放送受信装置１と共に客室内に設置された、図示しない液晶モニタ装置等に接続され、ユーザの視聴に供される。
【００２０】
さらにこのデジタルテレビ放送受信装置１には、ＣＡＳカードスロット１７を備える。このＣＡＳカードスロット１７は、このホテルの管理者がＢＳ・ＣＳデジタル放送の事業者との契約に基づいたマスタ鍵等の情報を記憶したＢ−ＣＡＳカードを装着するもので、このホテルの客室を使用するユーザ（宿泊客）には容易に抜出すことができないよう、デジタルテレビ放送受信装置１の外面には一切露出せず、内蔵するものとしている。
【００２１】
このＣＡＳカードスロット１７に装着されたＢ−ＣＡＳカードは、上述した如く予め固有のマスタ鍵を記憶し、このマスタ鍵をデジタルテレビ放送受信時のスクランブルの解除等を行なうものとして使用するが、有料番組の契約時などにおいての契約情報もこのＣＡＳカードスロット１７に記憶する。
【００２２】
さらにこのデジタルテレビ放送受信装置１には、電話回線接続端子１８も設ける。この電話回線接続端子１８は、デジタルテレビ放送受信装置１内部でデジタルテレビ放送受信部１３に接続され、また装置外部側は図示しない電話回線と接続されるもので、データ放送の双方向サービスに基づくリクエスト情報やアンケート情報等を電話回線を介して放送事業者側へ発信する。
【００２３】
上記分波器１２でテレビ放送の受信信号から分波された、同軸伝送ライン１１を介してフロントコンピュータにつながるデータ回線からの信号は、高周波モデム１９で復調されて制御部２０に至る。
【００２４】
この高周波モデム１９は、ＦＳＫ（Ｆｒｅｑｕｅｎｃｙ  Ｓｈｉｆｔ  Ｋｅｙｉｎｇ：周波数シフト変調）方式で上り／下り各方向のデータ通信の変調／復調動作を行ない、フロントコンピュータとの間のデータ通信を実現するものであり、フロントコンピュータから制御部２０への下り通信では視聴制限等の制御情報、各種設定情報を受信して制御部２０へ送出し、また制御部２０からの上り通信では有料番組を視聴した課金情報や双方向通信サービスの応答情報を受信してフロントコンピュータへ送信する。
【００２５】
この高周波モデム１９及び上記デジタルテレビ放送受信部１３を含めて、デジタルテレビ放送受信装置１全体の制御動作を制御部２０が実行する。
【００２６】
制御部２０は、ＣＰＵとこのＣＰＵの動作プログラム等を不揮発的に記憶したフラッシュメモリ及びワークメモリ等から構成されるもので、上記フラッシュメモリにはさらに、このデジタルテレビ放送受信装置１の固有のアドレス番号が記憶されており、そのアドレス番号によりフロントコンピュータが個々の客室に設置されたデジタルテレビ放送受信装置１を識別することが可能となる。
【００２７】
しかるに制御部２０には、上記デジタルテレビ放送受信部１３及び高周波モデム１９の他に、タイマ２１、リモコン受光部２２、及びユーザメモリ２３を接続する。
【００２８】
タイマ２１は、このデジタルテレビ放送受信装置１の電源のオン／オフ状態に関係なく現在時刻を計時し続けるＲＴＣ（Ｒｅａｌ  Ｔｉｍｅ  Ｃｌｏｃｋ）でなり、その時刻情報が必要に応じて制御部２０に読出される。
【００２９】
リモコン受光部２２は、上記リモコンパッド２での各種キー操作に対応した赤外線変調信号を受光し、これを復調して、対応するキーコード信号を制御部２０へ送出する。
【００３０】
ユーザメモリ２３は、例えば不揮発的にデータを記憶するフラッシュメモリにより構成され、このデジタルテレビ放送受信装置１のユーザすなわち宿泊客がデータ放送の双方向通信サービスを利用する際に該ユーザの個人情報を記憶する。
【００３１】
上記のような機能回路構成にあって、電話回線接続端子１８に電話回線を接続すると、デジタルテレビ放送受信装置１の操作でデータ放送のクイズ番組に参加し、あるいは視聴者プレゼントに応募するなどの双方向番組の利用が可能となる機能を有する。
【００３２】
しかるに、データ放送で双方向番組を利用するためには、所望のデータ放送事業者に対して会員登録する必要があり、その会員登録の手続き時には、デジタルテレビ放送受信装置１のデータ放送視聴画面からユーザの個人情報、具体的には住所、郵便番号、氏名、性別、年齢、職業、電話番号、電子メールアドレス等をリモコンパッド２の操作により入力することとなる。
【００３３】
しかしながら、ホテルや旅館などの宿泊施設、あるいは病院等の入院施設で使用する業務用のデジタルテレビ放送受信装置１は、不特定多数の利用者を対象としたものであり、本来有している機能上は、双方向通信機能を活用してデータ放送の双方向番組の利用も可能としたいものではあるが、例えば個人の特定が困難となる、等の倫理上の課題から、ここでは電話回線接続端子１８から電話回線を外し、あえて双方向通信を利用できないものとする。
【００３４】
しかして、データ放送の双方向通信で上記会員登録等の作業自体を禁止することは困難であり、ユーザはデータ放送の視聴画面から各種個人情報を入力し、入力した情報を登録するべく送信を指示した時点で、電話回線接続端子１８が電話回線と接続されておらず、上り方向の通信を行なうことができないことを認識するものとなるが、入力した個人情報自体はユーザメモリ２３に記憶され、制御部２０がこれを消去しない限りユーザメモリ２３に保持され続けることとなる。
【００３５】
次に上記実施の形態の動作について説明する。
【００３６】
（実施の一形態の第１動作例）  
ここでは、デジタルテレビ放送受信装置１のスタンバイ状態（ＡＣ電源は通電されているがデジタルテレビ放送受信装置１の見かけ上は電源がオフされている待機状態）から、リモコンパッド２に備えられる電源キーの操作により電源オンが指示された時点で、ユーザメモリ２３の内容を消去するものとする。
【００３７】
図２は、このデジタルテレビ放送受信装置１の制御部２０が動作プログラム中の一部でユーザメモリ２３を消去する際の処理内容を抽出して示すもので、その当初には制御部２０がユーザメモリ２３を消去するタイミングとなったか否かを繰返し判断することで、そのタイミングとなるのを待機する（ステップＳ０１）。
【００３８】
この動作例では、デジタルテレビ放送受信装置１がスタンバイ状態にあって、リモコンパッド２の電源キーが操作されたか否かをリモコン受光部２２からの信号により制御部２０が常時判断することで、このユーザメモリ２３の消去タイミングとなるのを待機する。
【００３９】
しかして、実際にユーザメモリ２３の消去タイミングとなったと判断した場合、ここでは装置１のスタンバイ状態からリモコンパッド２の電源キーが操作された場合に制御部２０がステップＳ０１でこれを判断し、ユーザメモリ２３の内容を一括して消去処理し（ステップＳ０２）、以上でこの処理を終了して、再びステップＳ０１に戻って次の消去タイミングとなるのを待機する。
【００４０】
このように、デジタルテレビ放送受信装置１のユーザである宿泊客が登録したデータ（個人情報）を、所定のタイミングを適切に設定して消去することによって、不特定多数のユーザによってユーザメモリ２３に記憶された個人情報が漏洩してしまうのを確実に阻止することが可能となる。
【００４１】
この場合、特にデジタルテレビ放送受信装置１の電源オン時にユーザメモリ２３の内容を消去するものとし、あらたなユーザがデジタルテレビ放送受信装置１の電源をオンした時点で、その前にデジタルテレビ放送受信装置１を利用したユーザの登録内容が消去されるものとしたので、事実上データ放送の双方向通信等の利用のために個人情報のデータを保持する動作を、電源を投入してから切断するまでの１回に限定することができ、ユーザメモリ２３の内容が漏洩してしまうのをより確実に阻止できる。
【００４２】
なお、上記動作例ではデジタルテレビ放送受信装置１の電源オン操作時にユーザメモリ２３の内容を消去する場合について説明したが、本発明はこれに限るものではなく、電源をオフする時点でユーザメモリ２３を消去するものとしてもよいし、さらには電源のオン／オフ各動作時にそれぞれユーザメモリ２３を消去するものとしてもよい。
【００４３】
（実施の一形態の第２動作例）  
ここでは、デジタルテレビ放送受信装置１の内部に有するタイマ２１により所定の時刻、例えば「ＡＭ０６：００」時にユーザメモリ２３の内容を消去するものとする。
【００４４】
図２は、このデジタルテレビ放送受信装置１の制御部２０が動作プログラム中の一部でユーザメモリ２３を消去する際の処理内容を抽出して示すもので、その当初には制御部２０がユーザメモリ２３を消去するタイミングとなったか否かを繰返し判断することで、そのタイミングとなるのを待機する（ステップＳ０１）。
【００４５】
この動作例では、制御部２０内部のフラッシュメモリに記憶設定された時刻情報と、タイマ２１が計時する現在時刻の内容との一致を制御部２０が常時判断することで、このユーザメモリ２３の消去タイミングとなるのを待機する。
【００４６】
しかして、実際にユーザメモリ２３の消去タイミングとなったと判断した場合に制御部２０がステップＳ０１でこれを判断し、ユーザメモリ２３の内容を一括して消去処理し（ステップＳ０２）、以上でこの処理を終了して、再びステップＳ０１に戻って次の消去タイミングとなるのを待機する。
【００４７】
このように、デジタルテレビ放送受信装置１の電源のオン／オフ状態に関係なく、所定の時刻となった時点でユーザメモリ２３の内容を消去するものとしたので、ユーザの操作、例えば電源の切り忘れ等に関係なく、一切の人手を要さずに毎日確実にデータを消去させることができる。
【００４８】
なお、上記動作例では所定の時刻として「ＡＭ０６：００」を設定した場合、すなわち一日に一回の頻度で定時にユーザメモリ２３を消去するものとして説明したが、本発明はこれに限るものではなく、１日周期以外の時間要素、例えば１２時間周期（半日に１回）、１週間周期（ウィークリーマンションなど）、あるいは特定の曜日等、デジタルテレビ放送受信装置１が設置されている環境によって、各種の時間的な要素を勘案して設定することで、ユーザメモリ２３を消去するものとしてもよい。
【００４９】
（実施の一形態の第３動作例）  
ここでは、フロントコンピュータから宿泊客のチェックイン時またはチェックアウト時に客室を指定してその客室内に設置されているデジタルテレビ放送受信装置１のユーザメモリ２３の内容を消去するものとする。
【００５０】
図２は、このデジタルテレビ放送受信装置１の制御部２０が動作プログラム中の一部でユーザメモリ２３を消去する際の処理内容を抽出して示すもので、その当初には制御部２０がユーザメモリ２３を消去するタイミングとなったか否かを繰返し判断することで、そのタイミングとなるのを待機する（ステップＳ０１）。
【００５１】
この動作例では、この客室のチェックイン時またはチェックアウト時に、ホテルのフロントに設置されているフロントコンピュータからデジタルテレビ放送受信装置１のアドレス番号を指定した上でユーザメモリ２３の消去を指示するコマンド信号を発信すると、該当する客室内のデジタルテレビ放送受信装置１で制御部２０がそのコマンド信号を受信した時点で、ステップＳ０１でユーザメモリ２３の消去タイミングとなったと判断し、ユーザメモリ２３の内容を一括して消去処理し（ステップＳ０２）、以上でこの処理を終了し、再びステップＳ０１に戻って次の消去タイミングとなるのを待機する。
【００５２】
このように、デジタルテレビ放送受信装置１の外部であるフロントコンピュータからの指示があった時点でユーザメモリ２３の内容を消去するものとしたので、ユーザの操作、例えば電源の切り忘れ等に関係なく、利用環境に柔軟に対応して適切なタイミングでユーザのデータを消去できる。
【００５３】
なお、上記動作例ではホテルのフロントコンピュータからの指示によりチェックイン時またはチェックアウト時にユーザメモリ２３を消去するものとして説明したが、本発明はこれに限るものではなく、ユーザメモリ２３の内容を消去する必要が生じた時点でデジタルテレビ放送受信装置の外部から適宜指示を与えることにより、その消去動作を実行するものとしてもよい。
【００５４】
その他、本発明は上記実施の形態に限らず、その要旨を逸脱しない範囲内で種々変形して実施することが可能であるものとする。
【００５５】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００５６】
【図１】本発明の実施の一形態に係るホテル施設の各客室に設置されたデジタルテレビ放送受信装置の機能回路構成を示すブロック図。
【図２】同実施の形態に係るユーザメモリの内容消去の処理内容を示すフローチャート。
【符号の説明】
【００５７】
１…デジタルテレビ放送受信装置、２…リモコンパッド、１１…同軸伝送ライン、１２…分波器、１３…デジタルテレビ放送受信部、１４…Ｄ出力端子、１５…音声出力端子、１６…コンポジット出力端子、１７…ＣＡＳカードスロット、１８…電話回線接続端子、１９…高周波モデム、２０…制御部、２１…タイマ、２２…リモコン受光部、２３…ユーザメモリ。
【図１】
2006197121.tif 000003
【図２】
2006197121.tif 000004